(57)【特許請求の範囲】
【請求項１】
刈刃取付機枠に取付けた受歯に対し、刈刃を摺接させながら往復駆動して稲稈等の被刈取物を刈り取る刈刃装置において、前記刈刃の後部に縦方向の駆動溝を有する受動部材を、刈刃と一体的に設けると共に、該駆動溝内に刈刃取付機枠側に回転駆動可能に軸支した刈刃軸のクランク軸を係合させ、且つ該刈刃軸の軸芯を刈刃の高さと略同高さ位置に設けることにより、クランク軸の上死点と下死点とが刈刃から略等距離になるように構成してなる刈刃の駆動構造。
【発明の詳細な説明】
【０００１】
【発明の属する技術分野】
本発明は、稲稈等の被刈取物を刈り取る刈取部に好適な刈刃の駆動構造に関する。
【０００２】
【従来の技術】
一般に、コンバインやバインダー等の刈取部にはバリカン方式の刈刃装置が装着されており、この刈刃装置の刈刃の駆動構造は、機体側から刈刃の上方で回転駆動可能に延設した刈刃軸に形成したクランク軸を、受歯上の刈刃の後端に立設した受動片の駆動溝内に嵌挿し、刈刃軸の回転によりクランク軸の回転半径を以て、刈刃を受動片を介し所定のストロークで往復駆動するように構成している。
【０００３】
【発明が解決しようとする課題】
然し、上記のような従来の構成による刈刃の駆動構造は、機体側から延設した刈刃軸を刈刃の後方延長線よりも高い位置に軸支しているので、クランク軸と駆動溝との係合が常に刈刃の上方で行われて刈刃を往復駆動するようにしているので、クランク軸と係合溝との係合部と刈刃との距離が大きくなって、往復駆動時のモーメントが刈刃の両側で押し付け方向と浮き上がり方向へと、左右交互に衝撃的に生ずるため、刈刃の振動や騒音の発生が大きくなると共に刈刃の耐久性に劣る等の問題がある。
【０００４】
【課題を解決するための手段】
上記従来の問題点を解決するために本発明の刈刃の駆動構造は、刈刃取付機枠に取付けた受歯に対し、刈刃を摺接させながら往復駆動して稲稈等の被刈取物を刈り取る刈刃装置において、前記刈刃の後部に縦方向の駆動溝を有する受動部材を、刈刃と一体的に設けると共に、該駆動溝内に刈刃取付機枠側に回転駆動可能に軸支した刈刃軸のクランク軸を係合させ、且つ該刈刃軸の軸芯を刈刃の高さと略同高さ位置に設けることにより、クランク軸の上死点と下死点とが刈刃から略等距離になるように構成してなることを特徴としている。
【０００６】
【発明の実施の形態】
本発明の一実施形態を図面に基づいて説明する。図１は本発明に係わる刈刃装置１を備えたコンバインやバインダ等穀稈刈取機用の刈取部２の平面要部を示し、図２は図１の刈刃装置１の駆動構造を示す側断面図である。
この図示例において上記刈刃装置１は、その両側を刈取部２の刈取フレーム（刈刃取付機枠）３に、後述する刈高調節部（刈刃取付部）４を介して刈高さ調節可能で且つ着脱自在に取付固定していると共に、刈取フレーム３の後部に設置した伝動ケース５内の、入力軸５０及び中間軸５１並びに刈刃軸５２を介して伝動駆動するようにしている。
尚、刈取フレーム３は、後部の両側及び央部から分草体（不図示）等を取着する分草フレーム３０を前方に向けて適数延設している。
【０００７】
上記刈刃装置１は、受歯１０上に刈刃１１を摺接して往復作動させる在来のバリカン方式を以て稲稈や麦稈等の被刈取物を鋏切断するようにしており、この際刈刃１１は刈取部２の後部に構成される本発明の駆動構造６によって駆動することにより、被刈取物の切断を刈刃１１等に無理な負荷や振動等を抑制して円滑な刈取作業を行わせると共に、刈刃１１の作動に伴う騒音等の発生を良好に防止することができるようにし、また刈刃装置１の耐久性の向上を図ることができるよにしている。
【０００８】
上記刈刃装置１は、前記刈取フレーム３に対し刈高調節部４で取付固定される受歯台１２上に、受歯１０を予め多数列設して固着していると共に、刈刃１１をナイフバー１３に受歯１０と同ピッチの配列で固着し、これを受歯台１２上に位置決め載置した状態で適数の刈刃押１５によって押接することにより、刈刃１１を受歯１０に対し横方向に摺動可能に設けている。
そしてこの刈刃装置１は、前記刈高調節部４によって前下がりの刈取角を有した前傾姿勢に支持しながら、図２で示す通常刈姿勢と図３に示す低刈姿勢とに切換可能に取付固定することができるようにし、被刈取物をの刈高調節を可能にして多様な刈取作業を良好に行うことができるようにしている。
【０００９】
即ち、刈高調節部４は、刈取フレーム３の両側から前傾姿勢で下部に突設した取付片３１に取付ネジ４０を立設しており、該取付ネジ４０に上記通常刈姿勢と低刈姿勢との高さ位置を調節する調節代長さに形成されたパイプ状の調節具４１を嵌挿した状態で、受歯台１２をその両側に穿設している取付孔を介して挿通したのち、取付ネジ４０にナット４２を螺挿して受歯台１２を締着することにより、刈刃装置１を通常刈姿勢の高さ位置に取付固定するようにしている。
また、刈刃装置１を低刈姿勢の高さ位置に取付固定する場合には、受歯台１２を取付片３１に直付けとなるように取付ネジ４０に挿通した状態で、調節具４１を嵌挿してナット４２で締着固定すると、刈刃装置１は通常刈姿勢における刈刃装置１の姿勢と平行状に調節具４１の調節代分だけ下方に低く取付固定することができるものである。
【００１０】
また刈刃１１を往復駆動する駆動構造６は、刈刃１１のナイフバー１３の後部に固着形成した縦方向の駆動溝６０を有する受動部材６１と、前記刈刃軸５２の先端にクランク形状を以て構成されたクランク軸６２とからなり、上記刈刃軸５２は伝動ケース５から前側に向けて前傾状に延設した刈刃軸ケース５ａ内で前後のメタル５ｂを介し、刈刃軸５２の軸芯を前記刈刃装置１の通常刈姿勢における刈刃１１の高さ姿勢位置延長線上と略同じ位置となる傾斜状に軸支している。
また、刈刃軸５２は軸後端に取着したベベルギヤ５３と中間軸５１のベベルギヤ５５との噛合を介して機体側から回転駆動され、クランク軸６２に嵌合させた滑動ローラ（ベアリング）６３を前記駆動溝６０内に嵌挿し、刈刃軸５２の軸芯からの回転半径を以て、刈刃１１を所定のストロークで往復駆動させるように構成している。
６５はクランク軸６２の他側に一体的に形成したバランスウェィトである。
【００１１】
そして、図示例における受動部材６１は、鉄板を断面逆コ字状に形成してその前面中途部をナイフバー１３の後端部に縦方向に固着し、その上下長さを刈刃１１のストローク長と前記刈刃装置１の高さ調節代とを合わせた長さにしている。
これにより、受動部材６１は逆コ字状の内部の駆動溝６０内に、クランク軸６２の滑動ローラ６３をガタツキなく嵌挿させて円滑に回動移動させると共に、受動部材６１の前面及び側面が滑動ローラ６３等内部を覆うので、駆動溝６０内への雑草や刈株の侵入等を良好に防止し刈取作業を円滑に行うようにしている。
【００１２】
以上のように構成した刈刃の駆動構造を備えた刈取部２は刈取作業を行うとき、刈刃軸５２の回転によりクランク軸６２がその滑動ローラ６３を円運動させるので、該滑動ローラ６３を駆動溝６０に嵌挿している受動部材６１は刈刃１１を受歯１０上で往復駆動させて、圃場に植立している稲稈等の被刈取物を良好に鋏切断して刈り取ることができる。
このとき、本発明による駆動構造６は、刈刃軸５２の軸芯を通常刈姿勢の刈刃１１の高さとその延長線後方で略同じ高さ位置に軸支して回転するようにしているので、刈刃１１の駆動に大きな無理な負荷や振動等を生じさせることなく良好に往復動させることができるものである。
【００１３】
即ち、クランク軸６２は、その回転中心が刈刃１１と略同高さの後方に位置して、クランク軸６２の上死点と下死点とを刈刃１１から略等距離にして回転するので、駆動溝６０を介して受動部材６１に生ずる駆動モーメントは刈刃１１の上下に略等分される結果、従来のもののようにクランク軸と係合溝との係合部と刈刃との距離を大きくして、往復駆動時のモーメントが刈刃の両側で押し付け方向と浮き上がり方向へと大きく生じさせることなく、刈刃１１の駆動に大きな抵抗や無理な作動負荷を抑制することができて、振動及び騒音等の発生を低減させて刈刃１１を円滑に往復動させることができるものである。
また、受動部材６１の駆動溝６０を平面視で逆コ字状に形成すると共に、その長さを刈刃装置１の通常刈姿勢より低い低刈姿勢位置においても駆動可能に設けたことにより、刈刃装置１を低刈姿勢に取付固定した状態でも刈刃を円滑に往復駆動することができると共に、低刈姿勢において駆動溝６０内への雑草等の侵入を良好に防止することができる。
【００１４】
【発明の効果】
本発明は、次のような効果を奏する。
即ち、刈刃の後部に縦方向の駆動溝を有する受動部材を、刈刃と一体的に設けると共に、該駆動溝内に刈刃取付機枠側に回転駆動可能に軸支した刈刃軸のクランク軸を係合させ、且つ該刈刃軸の軸芯を刈刃の高さと略同高さ位置に設けることにより、クランク軸の上死点と下死点とが刈刃から略等距離になるように構成したので、往復駆動時のモーメントが刈刃の両側で押し付け方向と浮き上がり方向へと大きく生じさせることなく、刈刃の駆動に大きな抵抗や無理な作動負荷を抑制して円滑に往復動させることができると共に、振動及び騒音等の発生を低減させることができる。
【図面の簡単な説明】
【図１】本発明の刈刃の駆動構造を備えた刈取部の要部の構成を示す平面図。
【図２】図１の要部の構成を示す側断面図。
【図３】刈刃装置を図２の通常刈姿勢から低刈姿勢に取付固定した側断面図。
【符号の説明】
１    刈刃装置
２    刈取部
３    刈取フレーム（刈刃取付機枠）
４    刈高調節部
５    伝動ケース
６    駆動構造
１０    受歯
１１    刈刃
１２    受歯台
３１    取付片
４０    取付ネジ
４１    調節具
５２    刈刃軸
６０    駆動溝
６１    受動部材
６３    滑動ローラ
【図１】
0003568770.tif 000002
【図２】
0003568770.tif 000003
【図３】
0003568770.tif 000004